(57)【要約】【課題】カバーが無く、ＭＳシリーズの任意の一つのメモリーカードに適用し、デジタル製品との互換性を増進する薄型マルチメモリーカードのアダプターを提供する。【解決手段】内側に位置するスロット部５１が水平のスロット５１１を十個有し、外側に位置する収容部５２がスロット部５１両側から伸びて形成されたＵ形の物体で両側壁面の間に低い第一底面５２２とその一側に位置する高い第二底面５２３を有し、第一底面５２２は十個の水平のスロット５１１と向かい合う位置に欠如部５２４を十個有し、その外側端部にはメモリーカード前端の接続インターフェースの間隔規格に適する突出部５２５を十個有し、その高さが第二底面５２２より高い本体と、十個のスロット５１１内に入り込むように設けられ、外側に欠如部５２４に配置される弾力性のある上湾曲部６１を有し、その頂面は突出部５２５及び第二底面５２３より高い十本の端子６０と、を備える。【選択図】図４
0003121027.tif 000002
【実用新案登録請求の範囲】
【請求項１】
内側に位置するスロット部と外側に位置する収容部とを備え、スロット部は水平のスロットを十個有し、収容部はスロット部両側から伸びて形成された略Ｕ字形の物体であり、外側面と上面とが開放状態を呈し、かつ略Ｕ字形の物体は両側壁面の間に比較的低い第一底面と、第一底面の一側に位置する比較的高い第二底面とを有し、第一底面は十個の水平のスロットと向かい合う位置に欠如部を十個有し、十個の欠如部の外側端部にはＭＳ（Memory Stick）シリーズのメモリーカード前端の凹んでいる接続インターフェース（接続ピン）の間隔規格に適する突出部を十個有し、かつこれらの突出部の高さ（ｈ１）が第二底面の高さ（ｈ２）より高い本体と、
十個のスロット内に入り込むように設けられ、かつ外側に欠如部に配置される弾力性のある上湾曲部を有し、上湾曲部の頂面が突出部及び第二底面の高さ（ｈ１、ｈ２）より高い十本の端子と、
を備えることを特徴とする薄型マルチメモリーカードのアダプター。
【請求項２】
端子は、内側に本体の底面に配置される回路板に電気的に接続する下湾曲部を有することを特徴とする請求項１に記載の薄型マルチメモリーカードのアダプター。
【請求項３】
本体の収容部は、ＭＳ、ＭＳ Ｄｕｏ、ＭＳ Ｐｒｏ及びＭＳ Ｐｒｏ Ｄｕｏの四種類のメモリーカードのうちの任意の一つのメモリーカードに適用可能であり、メモリーカード前端の凹んでいる接続インターフェース（接続ピン）は端子の上湾曲部に電気的に接続することを特徴とする請求項１に記載の薄型マルチメモリーカードのアダプター。
【考案の詳細な説明】
【技術分野】
【０００１】
本考案は、薄型マルチメモリーカードのアダプター、詳しく言えば薄型デザインを有しかつＭＳ（Memory Stick）シリーズの様々なメモリーカードが共用できるアダプターに関するものである。
【背景技術】
【０００２】
デジタル製品の研究開発に伴い、ＰＤＡ、デジタルビデオ、デジタルカメラ、電子辞書などが普及してきた。これらのデジタル製品の特徴はＣＦ（Compact Flash）、ＳＭ（Smart Media（登録商標））、ＳＤ（Secure Digital）、ＭＭＣなどのメモリーカードを差込むことが可能な拡張カードスロットを有するため、製品の機能を向上させることが可能である。
ＳＯＮＹ社は専用のＭＳ（Memory Stick）メモリーカードを発表した後、続いて体積の比較的小さいＭＳ Ｄｕｏメモリーカードを発表した。ＭＳメモリーカードのサイズは５０．０ｍｍ×２１．５ｍｍ×２．８ｍｍ、ＭＳ Ｄｕｏメモリーカードのサイズは２０ｍｍ×３１ｍｍ×１．６ｍｍである。それに対し、周知のメモリーカードのアダプターは単一規格に適用するように設計されるため、使用上制限されてしまう。
【０００３】
したがって、本出願者は中華民国出願第９３２０１３９６号（アメリカ合衆国出願第１０／８４１，５３７号）によりＭＳとＭＳ Ｄｕｏ両用のメモリーカードのアダプターを掲示した。図１に示すように、このようなメモリーカードアダプター１００は座体１０とカバー２０を備える。
座体１０は前方にスロット１１を有する座体であり、かつ上方に欠け口１２を有し、両側に弾力性アーム１３を有し、弾力性アーム１３は支持部１３１が内部に向かうと同時に向かい合いながらスロット１１の両側に対応し、スロット１１は内部に座体１０の後端まで伸びていく複数のガイド片１４を有する。また座体１０は両側に形成される装着用の突出部１５を有する。
【０００４】
カバー２０は金属ハウジングであり、座体１０の突出部１５に対応する両側に係合孔２１を有し、カバーの面部に係合片２２を有し、係合片２２は座体１０の欠け口１２に対応しかつスロット１１上方に伸びる凹状弧面２２１を有する。また係合片２２は弾力性アーム１３の支持部１３１に対し位置限定部２３を有する。
前述の構成はプラスチック製の座体１０と金属製のカバー２０を備え、構造全体が複雑で、体積が比較的大きく、厚さが６ｍｍ以上あるため、薄、小型化を追求しているデジタル製品において、装着空間の設計に不利になる。かつＭＳメモリーカード３００またはＭＳ Ｄｕｏメモリーカード２００を差し込む場合、逆方向に差し込まなければならない。即ち接続ピンの凹んでいる接続インターフェース３０１、２０１が上向きになるため、一般的に使い慣れた方法とは異なる。したがって、改善の余地がある。
【考案の開示】
【考案が解決しようとする課題】
【０００５】
本考案の主な目的はカバーの設計を排除し、メモリーカードのアダプターを薄型化する効果を有し、かつアダプターの突出部の設計によりＭＳ、ＭＳ Ｄｕｏ、ＭＳ Ｐｒｏ及びＭＳ Ｐｒｏ ＤｕｏなどのＭＳシリーズのうちの任意の一つのメモリーカードに適用し、デジタル製品との互換性を増進することが可能である薄型マルチメモリーカードのアダプターを提供することである。
【課題を解決するための手段】
【０００６】
上述の目的を達成するために、本考案による薄型マルチメモリーカードのアダプターは本体と十本の端子を備える。
本体は内側に位置するスロット部と外側に位置する収容部とを備え、そのうちスロット部は水平のスロットを十個有し、収容部はスロット部両側から伸びて形成されたＵ形の物体であるため、外側面と上面が開放状態を呈する。Ｕ形の物体は両側壁面の間に比較的低い第一底面と、第一底面の一側に位置する比較的高い第二底面を有し、第一底面は十個の水平のスロットと向かい合う位置に欠如部を十個有し、十個の欠如部の外側端部にはＭＳ（Memory Stick）シリーズのメモリーカード前端の凹んでいる接続インターフェース（接続ピン）の間隔規格に適する突出部を十個有し、これらの突出部の高さｈ１は第二底面の高さｈ２より高い。
十本の端子は十個のスロット内に入り込むように設けられ、かつ外側に欠如部に配置される弾力性のある上湾曲部を有し、上湾曲部の頂面は突出部及び第二底面の高さｈ１、ｈ２より高い。
【考案を実施するための最良の形態】
【０００７】
まず、図２に示すのは本考案の一実施例による薄型マルチメモリーカードのアダプターの分解斜視図であり、図３と図４に示すのは本考案の一実施例による薄型マルチメモリーカードのアダプターの別の角度での分解斜視図及び組立後の斜視図である。本実施例の薄型マルチメモリーカードのアダプターは本体と十本の端子を備える。
本体５０はプラスチックにより射出成型され、かつ内側に位置するスロット部５１と外側に位置する収容部５２とを備える。そのうちスロット部５１は端子６０が入り込むのに用いられる水平のスロット５１１を十個有し、収容部５２はスロット部５１両側から伸びて形成されたＵ形の物体であるため、外側面と上面が開放状態を呈する。Ｕ形の物体は両側壁面５２１の間に比較的低い第一底面５２２と、第一底面５２２の一側に位置する比較的高い第二底面５２３とを有する。第一底面５２２は十個の水平のスロット５１１と向かい合う位置に端子６０と同じ方向の欠如部５２４を十個有し、十個の欠如部５２４の外側端部にはＭＳ（Memory Stick）シリーズのメモリーカード２００、３００前端の凹んでいる接続インターフェース（接続ピン）２０１、３０１の間隔規格に適する突出部５２５を十個有する。
【０００８】
十本の端子６０は十個のスロット５１１内に入り込み、かつ外側の欠如部５２４に配置される弾力性のある上湾曲部６１を有する。
図３に示すように前記端子６０が本体５０に入り込んだ後、図４に示すように本体５０を回路板４０に装着し、端子６０内側の下湾曲部６２と回路板４０とを電気的に接続させれば、ＭＳシリーズのメモリーカードと接続し、それを使用することが可能である。
【０００９】
図５に示すのはＭＳ Ｄｕｏメモリーカード２００に用いられる本実施例の薄型マルチメモリーカードのアダプターの平面図であり、図６と図７に示すのは拡大した断面図である。ＭＳ Ｄｕｏメモリーカード２００を収容部５２に差し込む場合、その厚さｔ１は僅か１．６ｍｍであるため、本実施例の薄型マルチメモリーカードのアダプターは突出部５２５の設計により突出部５２５を凹んでいる接続インターフェース（接続ピン）２０１の底縁部に突き当たらせる。したがって突出部５２５の高さｈ１を第二底面５２３の高さｈ２より高くしなければならない。突出部５２５の高さｈ１が第二底面５２３の高さｈ２より高ければ、小型のＭＳ Ｄｕｏメモリーカード２００は接触ピンがない底面外側を第二底面５２３に位置させることが可能であり、かつＭＳ Ｄｕｏメモリーカード２００は収容部５２内に平坦に配置され、端子６０の上湾曲部６１の頂面は突出部５２５及び第二底面５２３の高さｈ１、ｈ２よりも高くなる。これによりメモリーカードの前端底縁の凹んでいる接続インターフェース（接続ピン）２０１とこれらの端子６０とを電気的に接続することが可能となる。
【００１０】
本実施例の薄型マルチメモリーカードのアダプターはカバーの設計を採用しない。即ち本体５０を回路板４０に固定した後、直接それを図７の仮想線により表示されるデジタル製品のハウジング７０内に装着するため、カバーの厚さを配慮する必要がなくなり、コストダウンとなるだけでなく、製品を軽薄化することが可能となる。またＭＳ Ｄｕｏメモリーカード２００をスムーズに差し込んだり取り出したりするために、第二底面５２３から壁面５２１頂部までの高さｈ３を１．６ｍｍ以上にする必要があり、特に１．７から１．８ｍｍが好ましい。また本体５０全体の高さ（ｈ２＋ｈ３）は３．６ｍｍを超えないため、厚さが少なくても６ｍｍ以上である周知のアダプター１００と比べて本実施例の薄型マルチメモリーカードのアダプターのほうが非常に薄い。また注目すべきは、本体５０の上述の構造により小型のＭＳ Ｄｕｏメモリーカードを差し込むことが可能なだけでなく、図８から図１０に示すように規格の比較的大きいＭＳメモリーカードを差し込み使用することも可能なことである。またＭＳは高さｔ２が２．８ｍｍで、その凹んでいる接続インターフェース（接続ピン）３０１が比較的深いため、その底部は第一底面５２２に密接し、接続ピンがない底部外側の凹んでいる部位は第二底面５２３に位置する。したがって、本体５０の巧妙な設計によりＭＳとＭＳ Ｄｕｏメモリーカードとを共同させることが可能となる。実際に、ＭＳ ＰｒｏとＭＳの規格が同じで、ＭＳ Ｐｒｏ ＤｕｏとＭＳ Ｄｕｏの規格も同じであるため、本考案の一実施例による薄型マルチメモリーカードのアダプターは少なくても上述の四種類のメモリーカードに適用可能であり、かつ市販のアダプターに比べ厚さが最も薄いため、実用性と進歩性を有する。
【００１１】
上述の通り、本考案が掲示した構造は今までなかっただけでなく、所定の効果を確実に達成し、産業上の使用価値を有するため、実用新案登録の要件を満たすと考えられる。
上述した図面、説明は本考案の好ましい実施例に過ぎないため、この技術を熟知している人でも、本考案の精神に基づき同等の変化または修正をすることは本考案の請求範囲に属すべきである。
【図面の簡単な説明】
【００１２】
【図１】周知のＭＳとＭＳ Ｄｕｏ両用のアダプターの分解斜視図である。
【図２】本考案の一実施例による薄型マルチメモリーカードのアダプターの分解斜視図である。
【図３】本考案の一実施例による薄型マルチメモリーカードのアダプターの別の角度での分解斜視図である。
【図４】本考案の一実施例による薄型マルチメモリーカードのアダプターの本体と回路板の組立後の斜視図である。
【図５】本考案の一実施例による薄型マルチメモリーカードのアダプターにＭＳ Ｄｕｏメモリーカードを差し込み、使用する状態の平面図である。
【図６】図５の６‐６線に沿う断面図である。
【図７】図６の７‐７線に沿う断面図である。
【図８】本考案の一実施例による薄型マルチメモリーカードのアダプターにＭＳメモリーカードを差し込み、使用する状態の平面図である。
【図９】図８の９‐９線に沿う断面図である。
【図１０】図９の１０‐１０線に沿う断面図である。
【符号の説明】
【００１３】
４０  回路板、５０  本体、５１  スロット部、５１１  スロット、５２  収容部、５２１  壁面、５２２  第一底面、５２３  第二底面、５２４  欠如部、５２５  突出部、６０  端子、６１  上湾曲部、６２  下湾曲部
【図１】
0003121027.tif 000003
【図２】
0003121027.tif 000004
【図３】
0003121027.tif 000005
【図４】
0003121027.tif 000006
【図５】
0003121027.tif 000007
【図６】
0003121027.tif 000008
【図７】
0003121027.tif 000009
【図８】
0003121027.tif 000010
【図９】
0003121027.tif 000011
【図１０】
0003121027.tif 000012